(57)【特許請求の範囲】
【請求項１】
隣接するセルが同じセルグループに属しないという原則に従って、すべてのセルを異なるセルグループにグループ化することと、
各セルグループのＳＲＳ開始の時間領域リソース設定順序を確定することと、
ユーザ端末の状態情報に基づいて、セルのＳＲＳリソースグループ化ポリシーを確定することと、
前記ＳＲＳ開始の時間領域リソース設定順序及び前記ＳＲＳリソースグループ化ポリシーに基づいて、各セルにアクセスするユーザ端末にＳＲＳリソースを設定することとを含み、
各セルグループのＳＲＳ開始の時間領域リソース設定順序を確定することは、
ＳＲＳサブフレーム設定に基づいて、所定の基準時間内にＳＲＳシンボルの数を統計し、ＳＲＳシンボルの数Ｎを得ることと、
前記ＳＲＳシンボルの数Ｎに基づいて、各セルグループに異なるＳＲＳ開始の時間領域リソースを割り当て、各セルグループのＳＲＳ開始の時間領域リソース設定順序を確定することとを含み、
ユーザ端末の状態情報に基づいて、セルのＳＲＳリソースグループ化ポリシーを確定することは、
各ＳＲＳ時間領域リソースをＳグループにグループ化し（ただし、Ｓ＝２Ｍ、ＭはセルのＳＲＳ帯域幅とユーザ端末のＳＲＳ帯域幅との比の値である）、異なる周波数分割リソース、コーム分割リソースに対応する合計のコードツリー集合をΦとマークアップする（ただし、Φ＝｛ｋ∈Ｚ，０≦ｋ≦Ｓ−１，Ｚは整数である｝）ことと、
前記ユーザ端末の状態情報がｘ種を含むと、各種ユーザ端末の状態情報がいずれも１つのコードツリーサブセットＧｒｏｕｐＡｉに対応する（ただし、ＧｒｏｕｐＡｉ＝｛ｋ｜ｍｏｄ（ｋ，ｘ）＝ｉ｝、ｉ∈（０，１，……，ｘ−１）、ＧｒｏｕｐＡｉ＝｛ｋ｜ｍｏｄ（ｋ，ｘ）＝ｉ｝は、ｋをｘで除算した余りがｉである集合を表す）こととを含む協調セルのサウンディング参照信号ＳＲＳリソース設定方法。
【請求項２】
各セルにアクセスするユーザ端末にＳＲＳリソースを設定することは、
ユーザ端末が初期接続を作成する時、前記ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、前記ユーザ端末に初期のＳＲＳリソースを割り当てることを含む請求項１に記載の方法。
【請求項３】
各セルにアクセスするユーザ端末にＳＲＳリソースを設定することは、
前記ユーザ端末の状態情報を取得した後、または前記ユーザ端末の状態情報が変化した後、前記ユーザ端末の最新の状態情報ｉを取得することと、
前記ユーザ端末の最新の状態情報ｉに基づいて、前記ユーザ端末に、それと対応するＧｒｏｕｐＡｉリソースを設定し、ＧｒｏｕｐＡｉにアイドルリソースがないと、周波数領域リソースの優先度順序に応じて前記ユーザ端末にＳＲＳリソースを設定することとを含む請求項２に記載の方法。
【請求項４】
更に、
各セルにアクセスするユーザ端末にＳＲＳリソースを設定した後、
設定時間内に、各セルにアクセスするユーザ端末の数を複数回統計し、各セルにアクセスする平均ユーザ端末数を求めることと、
前記平均ユーザ端末数がシステムにサポートされる最大直交ユーザ端末数より少なく、且つユーザ端末にＳＲＳリソースを割り当てたセル同士が直交できないと、前記ＳＲＳ開始の時間領域リソース設定順序に基づいて割り当てられたＳＲＳリソースを再設定することとを含む請求項１〜３のいずれか１項に記載の方法。
【請求項５】
隣接するセルが同じセルグループに属しないという原則に従って、すべてのセルを異なるセルグループにグループ化するように設定されるグループ化ユニットと、
各セルグループのＳＲＳ開始の時間領域リソース設定順序を確定するように設定される開始時間領域順序確定ユニットと、
ユーザ端末の状態情報に基づいて、セルのＳＲＳリソースグループ化ポリシーを確定するように設定されるＳＲＳリソースグループ化ポリシー確定ユニットと、
前記ＳＲＳ開始の時間領域リソース設定順序及び前記ＳＲＳリソースグループ化ポリシーに基づいて、各セルにアクセスするユーザ端末にＳＲＳリソースを設定するように設定されるＳＲＳリソース設定ユニットとを含み、
前記開始時間領域順序確定ユニットは、
ＳＲＳサブフレーム設定に基づいて、所定の基準時間内にＳＲＳシンボルの数を統計し、ＳＲＳシンボルの数Ｎを得る、及び
前記ＳＲＳシンボルの数Ｎに基づいて、各セルグループに異なるＳＲＳ開始の時間領域リソースを割り当て、各セルグループのＳＲＳ開始の時間領域リソース設定順序を確定する、という方式で、各セルグループのＳＲＳ開始の時間領域リソース設定順序を確定するように設定され、
前記ＳＲＳリソースグループ化ポリシー確定ユニットは、
各ＳＲＳ時間領域リソースをＳグループにグループ化し（ただし、Ｓ＝２Ｍ、ＭはセルＳＲＳ帯域幅とユーザ端末のＳＲＳ帯域幅との比の値である）、異なる周波数分割リソース、コーム分割リソースに対応する合計のコードツリー集合をΦとマークアップする（ただし、Φ＝｛ｋ∈Ｚ，０≦ｋ≦Ｓ−１，Ｚは整数である｝）、及び
前記ユーザ端末の状態情報がｘ種を含むと、各種ユーザ端末の状態情報がいずれも１つのコードツリーサブセットＧｒｏｕｐＡｉに対応する（ただし、ＧｒｏｕｐＡｉ＝｛ｋ｜ｍｏｄ（ｋ，ｘ）＝ｉ｝、ｉ∈（０，１，……，ｘ−１）、ＧｒｏｕｐＡｉ＝｛ｋ｜ｍｏｄ（ｋ，ｘ）＝ｉ｝は、ｋをｘで除算した余りがｉである集合を表す）、という方式で、ユーザ端末の状態情報に基づいて、セルのＳＲＳリソースグループ化ポリシーを確定するように設定される協調セルのサウンディング参照信号ＳＲＳリソース設定装置。
【請求項６】
前記ＳＲＳリソース設定ユニットは、
ユーザ端末が初期接続を作成する時、前記ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、前記ユーザ端末に初期のＳＲＳリソースを割り当てる、という方式で、各セルにアクセスするユーザ端末にＳＲＳリソースを設定するように設定される請求項５に記載の装置。
【請求項７】
前記ＳＲＳリソース設定ユニットは、
前記ユーザ端末の状態情報を取得した後、または前記ユーザ端末の状態情報が変化した後、前記ユーザ端末の最新の状態情報ｉを取得する、及び
前記ユーザ端末の最新の状態情報ｉに基づいて、前記ユーザ端末に、それと対応するＧｒｏｕｐＡｉリソースを設定し、ＧｒｏｕｐＡｉにアイドルリソースがないと、周波数領域リソースの優先度順序に応じて前記ユーザ端末にＳＲＳリソースを設定する、という方式で、各セルにアクセスするユーザ端末にＳＲＳリソースを設定するように設定される請求項６に記載の装置。
【請求項８】
設定時間内に、各セルにアクセスするユーザ端末の数を複数回統計し、各セルにアクセスする平均ユーザ端末数を求めること、前記平均ユーザ端末数がシステムにサポートされる最大直交ユーザ端末数より少なく、且つユーザ端末にＳＲＳリソースを割り当てたセル同士が直交できないと、前記ＳＲＳ開始の時間領域リソース設定順序に基づいて割り当てられたＳＲＳリソースを再設定するように設定されるＳＲＳリソース再設定ユニットを更に含む請求項５〜７のいずれか１項に記載の装置。
【発明の詳細な説明】
【技術分野】
【０００１】
本発明は移動通信技術分野に関し、特に協調セルのサウンディング参照信号（Sounding Reference Signal、ＳＲＳ）リソース設定方法及び装置に関する。
【背景技術】
【０００２】
国際電気通信連合（ＩＴＵ、International Telecommunications Union）は次世代の移動通信システム（すなわち、第４世代移動通信システム（International Mobile Telecommunications-advanced、ＩＭＴ−Ａ）システム）の性能に対して非常に厳しい要求をし、例えば、最大システム伝送帯域幅が１００ＭＨｚに達すること、アップリンクとダウンリンクのデータ伝送のピークレートが１Ｇｂｐｓと５００Ｍｂｐｓに達する必要があることなどが挙げられ、且つシステム平均スペクトル効率、特にエッジスペクトル効率に対して非常に高いニーズを持っている。ＩＭＴ−Ａｄｖａｎｃｅｄの新システムの要求を満たすために、第３世代パートナーシッププロジェクト（３ＧＰＰ、The 3rd Generation Partnership Project）は、その次世代移動セルラー通信システム（すなわち、ロングタームエボリューションアップグレード（Long Term Evolution-Advanced、ＬＴＥ−Ａ）システム）中において、多地点協調（ＣｏＭＰ、Coordinated Multi-Point）伝送技術でシステムの性能を向上させることを提案した。ＣｏＭＰ伝送技術は、地理的位置上で分離した複数の伝送地点が、１つの端末のデータ伝送または１つの端末が送信したデータの共同受信に協調参与する。協調参与する複数の伝送地点は、通常、異なるセルの基地局を指す。
【０００３】
サウンディング参照信号（ＳＲＳ、Sounding Reference Signal）は、ユーザ装置（ＵＥ、User Equipment）と進化型基地局（ｅＮＢ、evolved Node B）との間でアップリンクチャネル品質を測定するための信号である。ＬＴＥシステムでは、ＵＥは基地局が指定した帯域幅、周波数領域位置、配列の循環シフト、周期及びサブフレームオフセット等のパラメータに基づいて、サブフレームを送信する最後の１つのシンボル上にＳＲＳを定時的に送信する。ＦＤＤ（Frequency Division Duplexing、周波数分割復信）システムに対して、ｅＮＢは受信したＳＲＳに基づいてＵＥアップリンクのチャネル状態情報を測定し、且つアップリンクチャネル品質に基づいて、周波数領域選択性スケジューリング、閉ループ電力制御等の操作を行う。ＴＤＤ（Time Division Duplexing、時分割複信）システムに対して、更にアップリンクダウンリンクチャネル相互性を利用して、ダウンリンクのスケジューリングまたは協調スケジューリング等の操作を行うことができる。
【０００４】
ＣｏＭＰのアプリケーションでは、協調参与するセルは、いずれも端末から自身のセルまでのチャネル状態情報を必要とする。従って、すべての協調セルは、いずれもＵＥが送信したＳＲＳを正確に受信する必要がある。従って、どのようにＳＲＳリソースを合理的に割り当てて、セル間のＳＲＳ干渉を最小化するかが非常に重要である。
【０００５】
関連技術では、通常、各セルが用いる割り当て方法は同様であるため、セル間のＳＲＳに深刻な干渉が存在し、測定結果の誤差が大きく、その結果、ＣｏＭＰの性能が予想よりも悪くなる。
【発明の概要】
【発明が解決しようとする課題】
【０００６】
本発明の実施例は協調セルのサウンディング参照信号リソース設定方法及び装置を提供しており、それによって関連技術ではセル間のＳＲＳに深刻な干渉が存在するという問題を解決する。
【課題を解決するための手段】
【０００７】
本発明の実施例は協調セルのサウンディング参照信号ＳＲＳリソース設定方法を提供しており、  
すべてのセルを異なるセルグループにグループ化すること、
各セルグループのＳＲＳ開始の時間領域リソース設定順序を確定すること、
ユーザ端末の状態情報に基づいて、セルのＳＲＳリソースグループ化ポリシーを確定すること、及び
前記ＳＲＳ開始の時間領域リソース設定順序及びＳＲＳリソースグループ化ポリシーに基づいて、各セルにアクセスするユーザ端末にＳＲＳリソースを設定することを含む。
【０００８】
すべてのセルを異なるセルグループにグループ化することは、
隣接するセルが同じセルグループに属しないという原則に従って、すべてのセルを異なるセルグループにグループ化することを含んでもよい。
【０００９】
各セルグループのＳＲＳ開始の時間領域リソース設定順序を確定することは、
ＳＲＳサブフレーム設定に基づいて、所定の基準時間内にＳＲＳシンボルの数を統計し、ＳＲＳシンボルの数Ｎを得ること、及び
前記ＳＲＳシンボルの数Ｎに基づいて、各セルグループにＳＲＳ開始の時間領域リソースを割り当て、各セルグループのＳＲＳ開始の時間領域リソース設定順序を確定することを含んでもよい。
【００１０】
ユーザ端末の状態情報に基づいて、セルのＳＲＳリソースグループ化ポリシーを確定することは、
各ＳＲＳ時間領域リソースをＳ（ただし、Ｓ＝２Ｍ、Ｍは、セルのＳＲＳ帯域幅とユーザ端末のＳＲＳ帯域幅との比の値である）グループにグループ化し、異なる周波数分割リソース、コーム分割リソースが対応する合計のコードツリー集合をΦ（ただし、Φ＝｛ｋ∈Ｚ，０≦ｋ≦Ｓ−１，Ｚは整数である｝）とマークアップすること、及び
ユーザ端末の状態情報がｘ種を含むと、各種ユーザ端末の状態情報がいずれも１つのコードツリーサブセットＧｒｏｕｐＡｉ（ただし、ＧｒｏｕｐＡｉ＝｛ｋ｜ｍｏｄ  （ｋ，ｘ）＝ｉ｝、ｉ∈（０，１，……，ｘ−１）、ＧｒｏｕｐＡｉ＝｛ｋ｜ｍｏｄ（ｋ，ｘ）＝ｉ｝は、ｋをｘで除算した余りがｉである集合を表す）に対応することを含んでもよい。
【００１１】
各セルにアクセスするユーザ端末にＳＲＳリソースを設定することは、
ユーザ端末が初期接続を作成する時、該ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、ユーザ端末に初期のＳＲＳリソースを割り当てることを含んでもよい。
【００１２】
各セルにアクセスするユーザ端末にＳＲＳリソースを設定すること、
ユーザ端末の状態情報を取得した後、またはユーザ端末の状態情報が変化した後、ユーザ端末の最新の状態情報ｉを取得すること、及び
ユーザ端末の最新の状態情報ｉに基づいて、ユーザ端末にその対応するＧｒｏｕｐＡｉリソースを設定し、ＧｒｏｕｐＡｉにアイドルリソースがないと、周波数領域リソースの優先度順序に応じてユーザ端末にＳＲＳリソースを設定することを含んでもよい。
【００１３】
前記方法は、各セルにアクセスするユーザ端末にＳＲＳリソースを設定した後、
設定時間内に、各セルにアクセスするユーザ端末の数を繰り返して統計し、各セルにアクセスする平均ユーザ端末数を求めること、及び
前記平均ユーザ端末数はシステムがサポートする最大直交ユーザ端末数より小さく、且つユーザ端末にＳＲＳリソースを割り当てたセル同士が直交できないと、前記ＳＲＳ開始の時間領域リソース設定順序に基づいて既に割り当てられたＳＲＳリソースを再設定することをさらに含んでもよい。
【００１４】
本発明の実施例は協調セルのサウンディング参照信号ＳＲＳリソース設定装置を更に提供しており、
すべてのセルを異なるセルグループにグループ化するように設定されるグループ化ユニット、
各セルグループのＳＲＳ開始の時間領域リソース設定順序を確定するように設定される開始時間領域順序確定ユニット、
ユーザ端末の状態情報に基づいて、セルのＳＲＳリソースグループ化ポリシーを確定するように設定されるＳＲＳリソースグループ化ポリシー確定ユニット、及び
前記ＳＲＳ開始の時間領域リソース設定順序及びＳＲＳリソースグループ化ポリシーに基づいて、各セルにアクセスするユーザ端末にＳＲＳリソースを設定するように設定されるＳＲＳリソース設定ユニットを備える。
【００１５】
前記グループ化ユニットは、
隣接するセルが同じセルグループに属しないという原則に従って、すべてのセルを異なるセルグループにグループ化する、という方式で、すべてのセルを異なるセルグループにグループ化するように設定されてもよい。
【００１６】
前記開始時間領域順序確定ユニットは、
ＳＲＳサブフレーム設定に基づいて、所定の基準時間内にＳＲＳシンボルの数を統計し、ＳＲＳシンボルの数Ｎを得る、及び
前記ＳＲＳシンボルの数Ｎに基づいて、各セルグループにＳＲＳ開始の時間領域リソースを割り当て、各セルグループのＳＲＳ開始の時間領域リソース設定順序を確定する、という方式で、各セルグループのＳＲＳ開始の時間領域リソース設定順序を確定するように設定されてもよい。
【００１７】
前記ＳＲＳリソースグループ化ポリシー確定ユニットは、
各ＳＲＳ時間領域リソースをＳ（ただし、Ｓ＝２Ｍ、Ｍは、セルＳＲＳ帯域幅とユーザ端末のＳＲＳ帯域幅との比の値である）グループにグループ化し、異なる周波数分割リソース、コーム分割リソースが対応する合計のコードツリー集合をΦ（ただし、Φ＝｛ｋ∈Ｚ，０≦ｋ≦Ｓ−１，Ｚは整数である｝）とマークアップする、及び
ユーザ端末の状態情報がｘ種を含むと、各種ユーザ端末の状態情報がいずれも１つのコードツリーサブセットＧｒｏｕｐＡｉ（ただし、ＧｒｏｕｐＡｉ＝｛ｋ｜ｍｏｄ  （ｋ，ｘ）＝ｉ｝、ｉ∈（０，１，……，ｘ−１）、ＧｒｏｕｐＡｉ＝｛ｋ｜ｍｏｄ  （ｋ，ｘ）＝ｉ｝は、ｋをｘで除算した余りがｉである集合を表す）に対応する、という方式で、ユーザ端末の状態情報に基づいて、セルのＳＲＳリソースグループ化ポリシーを確定するように設定されてもよい。
【００１８】
前記ＳＲＳリソース設定ユニットは、
ユーザ端末が初期接続を作成する時、該ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、ユーザ端末に初期のＳＲＳリソースを割り当てる、という方式で、各セルにアクセスするユーザ端末にＳＲＳリソースを設定するように設定されてもよい。
【００１９】
前記ＳＲＳリソース設定ユニットは、
ユーザ端末の状態情報を取得した後、またはユーザ端末の状態情報が変化した後、ユーザ端末の最新の状態情報ｉを取得する、及び
ユーザ端末の最新の状態情報ｉに基づいて、ユーザ端末にその対応するＧｒｏｕｐＡｉリソースを設定し、ＧｒｏｕｐＡｉにアイドルリソースがないと、周波数領域リソースの優先度順序に応じてユーザ端末にＳＲＳリソースを設定する、という方式で、各セルにアクセスするユーザ端末にＳＲＳリソースを設定するように設定されてもよい。
【００２０】
前記装置は、
設定時間内に、各セルにアクセスするユーザ端末の数を繰り返して統計し、各セルにアクセスする平均ユーザ端末数を求めること、前記平均ユーザ端末数はシステムがサポートする最大直交ユーザ端末数より小さく、且つユーザ端末にＳＲＳリソースを割り当てたセル同士が直交できないと、前記ＳＲＳ開始の時間領域リソース設定順序に基づいて既に割り当てられたＳＲＳリソースを再設定するように設定されるＳＲＳリソース再設定ユニットを更に含んでもよい。
【発明の効果】
【００２１】
本発明の実施例に係る方法及び装置によれば、ＣｏＭＰにおける各協調セルのシグナリングインタラクションを減少させることができ、同時にＳＲＳリソースを割り当てる時に規則性を有するため、セル間、セル内の干渉を効果的に抑制し、システムのスペクトル効率を向上させ、特にセルエッジユーザのスペクトル効率を向上させることができる。
【図面の簡単な説明】
【００２２】
【図１】図１は、本発明の実施例に係る協調セルのサウンディング参照信号リソース設定方法のフローチャートである。
【図２】図２は、本発明の実施例に係るシステムネットワーキング中にグループ化した後の模式図である。
【図３】図３は、本発明の実施例に係るセル内のＳＲＳ時間領域リソース設定の模式図である。
【図４】図４は、本発明の実施例に係る各セルグループのＳＲＳ開始シンボル設定の模式図である。
【図５】図５は、本発明の実施例に係る協調セルのＵＥのＳＲＳ初期リソース設定の模式図である。
【図６】図６は、本発明の実施例に係る協調セルがＵＥの状態情報に基づいてＵＥに再設定したＳＲＳリソースの模式図である。
【図７】図７は、本発明の実施例に係る協調セルとＵＥとのＳＲＳリソースアダプティブ調整前の割り当て模式図である。
【図８】図８は、本発明の実施例に係る協調セルとＵＥとのＳＲＳリソースアダプティブ調整後の割り当て模式図である。
【図９】図９は、本発明の実施例に係る協調セルのサウンディング参照信号リソース設定装置の構造模式図である。
【発明を実施するための形態】
【００２３】
以下、図面を参照しながら本発明の実施例を詳細に説明する。ただし、矛盾が生じない場合、本願中における実施例及び実施例中における特徴は相互に任意に組み合せることができる。
【００２４】
図１に示すように、本発明の実施例に係る協調セルのサウンディング参照信号リソース設定方法は、下記のステップＳ１０１〜ステップＳ１０４を含む。
【００２５】
ステップＳ１０１：すべてのセルを異なるセルグループにグループ化する。
【００２６】
本ステップでは、システムネットワーキング方式に基づいて、システム内のすべてのセルを複数の異なるセルグループに分け、割り当て方法は任意の方法であってもよいが、セル間の干渉をより効果的に抑制するために、好ましくは隣接するセルが同じセルグループに属しないという原則に従って、グループ化を行う。たとえば、図２に示すように、図２では、セル０はセルグループ１、セル１、３、５は１つのセルグループ２、セル２、４、６は１つのセルグループ３であり、且つ各セルグループは同一の割り当て方法を持つ。
【００２７】
ステップＳ１０２：各セルグループのＳＲＳ開始の時間領域リソース設定順序を確定する。
【００２８】
本ステップでは、ＳＲＳサブフレーム設定に基づいて、所定の基準時間内にＳＲＳシンボルの数を統計し、ＳＲＳシンボルの数Ｎを得て、ＴＤＤシステムでは、セルＳＲＳサブフレーム設定インデックスが０であり、たとえば、図３に示すように、所定の基準時間が１０ｍｓであり、その中にＮ＝４個のＳＲＳシンボルを含み、
統計して得られたＳＲＳシンボル数Ｎに基づいて、各セルグループにＳＲＳ開始の時間領域リソースを割り当て、各セルグループのＳＲＳ割り当ての時間領域リソース順序を確定し、
ＳＲＳシンボルの順序（たとえば、０〜Ｎ−１）に従って、各グループにＳＲＳ開始の時間領域リソースを順に割り当て、各セルグループのＳＲＳ時間領域リソース順序を確定する。たとえば、図４（本実施例ではＮ＝４）に示すように、セルグループ１に対応するＳＲＳ開始時間領域リソースをシンボル０とし、セルグループ２に対応するＳＲＳ開始時間領域リソースをシンボル１とし、セルグループ３に対応するＳＲＳ開始時間領域リソースをシンボル２とする。各セルグループの時分割順はそれぞれ、セルグループ１の時分割順が［０，１，２，……，Ｎ−１］、セルグループ２の時分割順が［１，２，……，Ｎ−１，０］  、セルグループ３の時分割順が［２，……，Ｎ−１，０，１］である。
【００２９】
ステップＳ１０３：ユーザ端末の状態情報に基づいて、セルのＳＲＳリソースグループ化ポリシーを確定する。
【００３０】
本ステップでは、セルのＳＲＳ帯域幅設定及びＵＥのＳＲＳ帯域幅設定に基づいて、  ＳＲＳシンボルの周波数領域リソースをＭ個のセグメントに分け、すなわち、セルのＳＲＳ帯域幅をＵＥのＳＲＳ帯域幅で割ってＭを得る。各ＳＲＳ時間領域リソースをＳ（Srs Tree Num）グループ（Ｓ＝２Ｍ）に分け、異なる周波数分割リソース、コーム（Comb）分割リソースに対応する合計のコードツリー集合をΦとマークアップすると、Φ＝｛ｋ∈Ｚ，０≦ｋ≦Ｓ−１，Ｚは整数である｝であり、たとえば、セルのＳＲＳ帯域幅が９６ＲＢ（Resource Brock）、ＵＥのＳＲＳ帯域幅設定が２４ＲＢであると、各ＳＲＳシンボル上に周波数領域リソースを４個のセグメントに分け、周波数分割、Comb分割、符号分割により、各ＳＲＳ時間領域リソースを８グループに分けることを算出することができ、異なる周波数分割リソース、Comb分割リソースに対応する合計のコードツリー集合をΦとマークアップすると、Φ＝｛ｋ∈Ｚ，０≦ｋ≦Ｓ−１，Ｚは整数である｝であり、
ユーザ端末の状態情報に基づいて、セルのＳＲＳリソースグループ化ポリシーを確定する。ユーザ端末の状態情報がｘ種を含むと仮定すると、各種ユーザ端末の状態情報がいずれも１つのコードツリーサブセットＧｒｏｕｐＡｉに対応し、すなわち、ある種の状態情報割り当てのコードツリーサブセットをＧｒｏｕｐＡｉとマークアップすると、ＧｒｏｕｐＡｉ＝｛ｋ｜ｍｏｄ（ｋ，ｘ）＝ｉ｝、ｉ∈（０，１，……，ｘ−１）（ただし、ＧｒｏｕｐＡｉ＝｛ｋ｜ｍｏｄ（ｋ，ｘ）＝ｉ｝は、ｋをｘで除算した余りがｉである集合を表す）である。
【００３１】
ユーザ端末の状態情報は、ユーザプロパティ及び電界強度情報を含み、そのうち、ユーザプロパティは、中心ユーザまたはエッジユーザを含み、電界強度はユーザ電力を制限し又は制限しないことを含み、ユーザ端末の状態情報は４（ｘ＝４）種状態を含む。ユーザ端末の状態情報に基づいて対応するコードツリーサブセットを確定し、ユーザ電力を制限しない場合でのエッジユーザに対応するコードツリーサブセットをＧｒｏｕｐＡ０とマークアップし、中心ユーザに対応するコードツリーサブセットをＧｒｏｕｐＡ１とマークアップし、ユーザ電力を制限する場合でのエッジユーザに対応するコードツリーサブセットをＧｒｏｕｐＡ２とマークアップし、中心ユーザに対応するコードツリーサブセットをＧｒｏｕｐＡ３とマークアップする。ｋ（ｋ＝０，１，２，３，４，５，６，７）、ｘ＝４である時、計算により、
ＧｒｏｕｐＡ０＝｛ｋ｜ｍｏｄ（ｋ，ｘ）＝０｝＝｛０，４｝、
ＧｒｏｕｐＡ１＝｛ｋ｜ｍｏｄ（ｋ，ｘ）＝１｝＝｛１，５｝、
ＧｒｏｕｐＡ２＝｛ｋ｜ｍｏｄ（ｋ，ｘ）＝２｝＝｛２，６｝、
ＧｒｏｕｐＡ３＝｛ｋ｜ｍｏｄ（ｋ，ｘ）＝３｝＝｛３，７｝を得ることができる。
【００３２】
ステップＳ１０４：前記ＳＲＳ開始の時間領域リソース設定順序及びＳＲＳリソースグループ化ポリシーに基づいて、各セルにアクセスするユーザ端末にＳＲＳリソースを設定する。
【００３３】
本ステップでは、ユーザ端末がＲＲＣ（Radio Resource Control、無線リソース制御）により初期接続を作成する時、該ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、ユーザ端末に初期のＳＲＳリソースを割り当てる。
【００３４】
３つのセルグループからそれぞれ１つのセル、すなわち、セル０、セル１、及びセル２を見つけ、同一の時刻に、３つのセル中にそれぞれ、ＲＲＣにより初期接続を作成するユーザが１つあると、セル０、セル１、及びセル２における各ＵＥはいずれもＧｒｏｕｐＡ０＞ＧｒｏｕｐＡ１＞ＧｒｏｕｐＡ２＞ＧｒｏｕｐＡ３の順に従ってユーザに初期のＳＲＳリソースを割り当てる。従って、図５に示すように、セル０の１つの初期にアクセスするＵＥはＳＲＳシンボル０のＧｒｏｕｐＡ０の位置に割り当てられ、セル１の１つの初期にアクセスするＵＥは  ＳＲＳシンボル１のＧｒｏｕｐＡ０の位置に割り当てられ、セル２の１つの初期にアクセスするＵＥはＳＲＳシンボル２のＧｒｏｕｐＡ０の位置に割り当てられる。
【００３５】
ユーザ端末の状態情報を取得した後、またはユーザ端末の状態情報が発生した後、最新のユーザ端末の状態情報に基づいて好適なリソースを割り当て、
ユーザ端末はＲＲＣにより初期接続を作成した後、ユーザ端末の状態情報を取得した後、又は、Ａ３イベント、経路損失状態等の複数のタイプの報告情報を取得することにより、ユーザ端末の状態情報がある状態情報から別の類状態情報に変化したことを発見した場合、確定された最新のユーザ端末の状態情報ｉに基づいて、ユーザ端末にその対応するＧｒｏｕｐＡｉリソースを設定し、ＧｒｏｕｐＡｉにアイドルリソースがないと、周波数領域リソースの優先度順序に応じてユーザ端末にＳＲＳリソースを設定する。たとえば、優先度順ＧｒｏｕｐＡ０＞ＧｒｏｕｐＡ１＞ＧｒｏｕｐＡ３＞ＧｒｏｕｐＡ２＞……＞ＧｒｏｕｐＡ（Ｘ−１）＞ＧｒｏｕｐＡ（Ｘ−２）に従って、ユーザ端末にＳＲＳリソースを設定する。そのうち、ＳＲＳリソースの割り当て順は周波数分割、Comb分割、符号分割、時分割である。
【００３６】
上記ステップでは、言及した周波数領域リソース優先度順序は例示に過ぎず、実際の過程中に、所定の状態情報に基づいて確定する。
【００３７】
３つのセルはそれぞれセル内のＵＥの状態情報を取得し、即ち、セル０は測定でＵＥがエッジユーザであることを取得し、且つ電力が制限されず、セル１は測定でＵＥが中心ユーザであることを取得し、且つ電力が制限され、及びセル２は測定でＵＥが中心ユーザであることを取得し、且つ電力を制限しないと、３つのセルは取得されたＵＥ状態情報に基づいて、下記の原則に従って、ＵＥにＳＲＳリソースを再設定する必要があり、ユーザ電力を制限しない場合でのエッジユーザに対して、ＧｒｏｕｐＡ０＞ＧｒｏｕｐＡ１＞ＧｒｏｕｐＡ２＞ＧｒｏｕｐＡ３の順に従ってＳＲＳリソースを設定し、ユーザ電力を制限しない場合での中心ユーザに対して、ＧｒｏｕｐＡ１＞ＧｒｏｕｐＡ０＞ＧｒｏｕｐＡ３＞ＧｒｏｕｐＡ２の順に従ってＳＲＳリソースを設定し、ユーザ電力を制限しない場合でのエッジユーザに対して、ＧｒｏｕｐＡ２＞ＧｒｏｕｐＡ３＞ＧｒｏｕｐＡ０＞ＧｒｏｕｐＡ１の順に従ってＳＲＳリソースを設定し、及びユーザ電力を制限しない場合での中心ユーザに対して、ＧｒｏｕｐＡ３＞ＧｒｏｕｐＡ２＞ＧｒｏｕｐＡ１＞ＧｒｏｕｐＡ０の順に従ってＳＲＳリソースを設定する。従って、図６に示すように、セル０のＵＥはＳＲＳシンボル０のＧｒｏｕｐＡ０の位置に割り当てられ、セル１のＵＥは  ＳＲＳシンボル１のＧｒｏｕｐＡ３位置に割り当てられ、セル２のＵＥはＳＲＳシンボル２のＧｒｏｕｐＡ１位置に割り当てられる。
【００３８】
さらに、本発明の実施例に係る方法はステップＳ１０５を更に含む。
【００３９】
ステップＳ１０５：設定時間内に、各セルにアクセスするユーザ端末の数を繰り返して統計し、各セルにアクセスする平均ユーザ端末数を求め、前記平均ユーザ端末数はシステムがサポートする最大直交ユーザ端末数より小さく、且つユーザ端末にＳＲＳリソースを割り当てたセル同士が直交できないと、前記ＳＲＳ開始の時間領域リソース設定順序に基づいて割り当てられたＳＲＳリソースを再設定する。
【００４０】
本ステップでは、所定のタイマーが期限切れになった後、アクセスしたユーザ数を統計し、連続的な複数回の統計では、毎回の統計されたユーザ数がいずれも最大直交ユーザ数を超えず、且つユーザに割り当てられたリソースがセル同士の直交を保証できないと、割り当てられたリソースを隣接セルと完全に直交するリソース上に再調整し、調整ポリシーは同一グループ内における周波数分割、Comb分割、符号分割、時分割の順に従ってリソースを割り当てる。毎回統計したユーザ数がいずれも最大直交ユーザ数を超える、またはユーザに割り当てられたリソースがセル同士の直交を保証できると、ＳＲＳリソース調整を行わない。
【００４１】
たとえば、タイマーの継続時間を２００ｓとし、タイマーの継続時間内の統計回数を４回とすると、システムがサポートする最大直交ユーザ数は３２である。図７に示すように、期限切れになると、４回の結果を平均した後、セル０のユーザ数が４、セル１のユーザ数が７、セル２のユーザ数が２であり、３つのセルが統計したアクセスするユーザ数がいずれも３２より小さく、且つ割り当てられたリソースがセル同士の直交を保証できないことを発見し、この場合、ＳＲＳのリソース割り当てを再調整するように、各セルにアダプティブ調整を行う必要があり、図８に示すように、調整ポリシーは同一グループ内の周波数分割、Comb分割、符号分割、時分割の順に従ってリソースを割り当てる。
【００４２】
前記ステップＳ１０３〜Ｓ１０５では、言及した周波数分割、Comb分割、符号分割の割り当て順序は好ましい割り当て順序に過ぎず、実際の過程中に、周波数分割、Comb分割、符号分割の順序は任意に設定されてもよい。
【００４３】
さらに、図９に示すように、本発明の実施例は上記方法を達成する協調セルのＳＲＳリソース設定装置を更に提供しており、
すべてのセルを異なるセルグループにグループ化するためのグループ化ユニット９１、
各セルグループのＳＲＳ開始の時間領域リソース設定順序を確定するための開始時間領域順序確定ユニット９２、
ユーザ端末の状態情報に基づいて、セルＳＲＳリソースグループ化ポリシーを確定するためのＳＲＳリソースグループ化ポリシー確定ユニット９３、及び
前記ＳＲＳ開始の時間領域リソース設定順序及びＳＲＳリソースグループ化ポリシに基づいて、各セルにアクセスするユーザ端末にＳＲＳリソースを設定するためのＳＲＳリソース設定ユニット９４を備える。
【００４４】
そのうち、前記グループ化ユニット９１は、隣接するセルが同じセルグループに属しないという原則に従って、すべてのセルを異なるセルグループにグループ化する、という方式で、すべてのセルを異なるセルグループにグループ化することに用いられる。
【００４５】
そのうち、前記開始時間領域順序確定ユニット９２は、
ＳＲＳサブフレーム設定に基づいて、所定の基準時間内にＳＲＳシンボルの数を統計し、ＳＲＳシンボルの数Ｎを得る、及び
前記ＳＲＳシンボルの数Ｎに基づいて、各セルグループにＳＲＳ開始の時間領域リソースを割り当て、各セルグループのＳＲＳ開始の時間領域リソース設定順序を確定する、という方式で、各セルグループのＳＲＳ開始の時間領域リソース設定順序を確定することに用いられる。
【００４６】
そのうち、前記ＳＲＳリソースグループ化ポリシー確定ユニット９３は、
各ＳＲＳ時間領域リソースをＳ（ただし、Ｓ＝２Ｍ、ＭはセルＳＲＳ帯域幅とユーザ端末のＳＲＳ帯域幅との比の値である）グループにグループ化し、異なる周波数分割リソース、コーム分割リソースが対応する合計のコードツリー集合をΦ（ただし、Φ＝｛ｋ∈Ｚ，０≦ｋ≦Ｓ−１，Ｚは整数である｝）とマークアップする、及び
ユーザ端末の状態情報がｘ種を含むと、各種ユーザ端末状態情報がいずれも１つのコードツリーサブセットＧｒｏｕｐＡｉ（ただし、ＧｒｏｕｐＡｉ＝｛ｋ｜ｍｏｄ（ｋ，ｘ）＝ｉ｝、ｉ∈（０，１，……，ｘ−１）、ＧｒｏｕｐＡｉ＝｛ｋ｜ｍｏｄ（ｋ，ｘ）＝ｉ｝は、ｋをｘで除算した余りがｉである集合を表す）に対応する、という方式で、ユーザ端末の状態情報に基づいて、セルのＳＲＳリソースグループ化ポリシーを確定することに用いられる。
【００４７】
そのうち、ユーザ端末の状態情報は、ユーザプロパティ及び電界強度情報を含み、そのうち、ユーザプロパティは、中心ユーザまたはエッジユーザを含み、電界強度はユーザ電力を制限し又は制限しないことを含み、ユーザ端末の状態情報に基づいて対応するコードツリーサブセットを確定し、ユーザ電力を制限しない場合でのエッジユーザに対応するコードツリーサブセットをＧｒｏｕｐＡ０とマークアップし、中心ユーザに対応するコードツリーサブセットをＧｒｏｕｐＡ１とマークアップし、ユーザ電力を制限する場合でのエッジユーザに対応するコードツリーサブセットをＧｒｏｕｐＡ２とマークアップし、中心ユーザに対応するコードツリーサブセットをＧｒｏｕｐＡ３とマークアップする。
【００４８】
そのうち、前記ＳＲＳリソース設定ユニット９４は、
ユーザ端末が初期接続を作成する時、該ユーザ端末が所属するセルに対応するＳＲＳ開始の時間領域リソース設定順序、及びＧｒｏｕｐＡ０＞ＧｒｏｕｐＡ１＞ＧｒｏｕｐＡ２＞……＞ＧｒｏｕｐＡ（Ｘ−１）の開始周波数領域リソース順序に基づいて、ユーザ端末に初期のＳＲＳリソースを割り当てる、という方式で、各セルにアクセスするユーザ端末にＳＲＳリソースを設定することに用いられる。
【００４９】
そのうち、前記ＳＲＳリソース設定ユニット９４は、
ユーザ端末の状態情報を取得した後、またはユーザ端末の状態情報が変化した後、ユーザ端末の最新の状態情報ｉを取得する、及び
ユーザによって端末最新の状態情報ｉ、ユーザ端末にその対応するＧｒｏｕｐＡｉリソースを設定し、ＧｒｏｕｐＡｉにアイドルリソースがないと、周波数領域リソースの優先度順序に応じてユーザ端末にＳＲＳリソースを設定する、という方式で、各セルにアクセスするユーザ端末にＳＲＳリソースを設定することに用いられる。
【００５０】
そのうち、前記装置は、
設定時間内に、各セルにアクセスするユーザ端末の数を繰り返して統計し、各セルにアクセスする平均ユーザ端末数を求め、前記平均ユーザ端末数はシステムがサポートする最大直交ユーザ端末数より小さく、且つユーザ端末に割り当てられたＳＲＳリソースセル同士が直交できないと、前記ＳＲＳ開始の時間領域リソース設定順序に基づいて割り当てられたＳＲＳリソースを再設定することに用いられるＳＲＳリソース再設定ユニット９５を更に備える。
【００５１】
上記実施例から分かるように、本発明の実施例は、各セル及びその隣接セルの状況を考慮した結果、隣接セル同士がＳＲＳリソースを割り当てる時、時間領域上に異なるＳＲＳシンボルを占用し、且つＳＲＳ割り当てのアダプティブ調整により、ユーザ数が少ない場合、隣接セル同士のＳＲＳが完全に直交することを保証し、同時に、ユーザプロパティ及びユーザ電界強度情報に基づいてユーザをグループ化することにより、セル内ユーザＳＲＳ間の干渉を避け、それによりＳＲＳ測定の精度を大幅に向上させ、且つ、本発明の実施例では、ＣｏＭＰ中における各協調セルのシグナリングインタラクションを減少させることができ、同時に  ＳＲＳリソースを割り当てる時に規則性を有するため、セル間の干渉を効果的に抑制することができ、システムのスペクトル効率を向上させ、特にセルエッジユーザのスペクトル効率を向上させることができる。
【００５２】
例示するために、本発明の好適な実施例を開示したが、当業者は、各種の改良、増加及び置換が可能であることを理解し、従って、本発明の範囲は上記実施例に制限されない。
【産業上の利用可能性】
【００５３】
本発明の実施例に係る方法及び装置によれば、  ＣｏＭＰにおける各協調セルのシグナリングインタラクションを減少させることができ、同時にＳＲＳリソースを割り当てる時に規則性を有するため、セル間、セル内の干渉を効果的に抑制し、システムのスペクトル効率を向上させ、特にセルエッジユーザのスペクトル効率を向上させることができる。
【図１】
0006050898.tif 000002
【図２】
0006050898.tif 000003
【図３】
0006050898.tif 000004
【図４】
0006050898.tif 000005
【図５】
0006050898.tif 000006
【図６】
0006050898.tif 000007
【図７】
0006050898.tif 000008
【図８】
0006050898.tif 000009
【図９】
0006050898.tif 000010